(57)【要約】【課題】製造が簡単で、組み立てが煩雑でなく容易で、しかも安定した自立性が保持できる自立性カートンを提供すること。【解決手段】四方形の六面体の一面（１）に開封口（４）が設けられ、その反対面（２）に折り曲げ線（ｓ）を介して糊代部（３）が形成されたカートン（２０）において、開封口を有する一面とそれに隣り合う二面は開封開始点（ｒ）から形成された破断線（ｔ）により蓋体部（５）と本体部（６）に二分され、また、該蓋体部（５）と本体部（６）は、糊代部（３）を形成させた面の破断線（ｔ）に連なる前記折り曲げ線（ｓ）により谷折りされて屈曲する。【選択図】図１
2004299715.tif 000002
【特許請求の範囲】
【請求項１】
四方形の六面体の一面に開封口が設けられ、その反対面に折り曲げ線を介して糊代部が形成されたカートンにおいて、
開封口を有する一面とそれに隣り合う二面は開封開始点から形成された破断線により蓋体部と本体部に二分され、
また、該蓋体部と本体部は、糊代部を形成させた面の破断線に連なる前記折り曲げ線により谷折りされて屈曲することを特徴とする自立性カートン。
【請求項２】
前記反対面の糊代部には、折り曲げ線に沿って糊代部側に突出する切り込み線によりロック片が形成されていることを特徴とする、請求項１記載の自立性カートン。
【請求項３】
後面板、側面板、前面板、第２側面板、第２後面板が横方向の折り曲げ線を介して順次連設され、
第２後面板の端縁近傍には横方向の第２折り曲げ線を介して糊代片が突出して形成され、
後面板の横方向の両端縁には縦方向の折り曲げ線を介して後板縁片がそれぞれ連設され、
側面板の横方向の両端縁には縦方向の折り曲げ線を介して折り込み片がそれぞれ連設され、
前面板の横方向の両端縁には縦方向の折り曲げ線を介して前板縁片がそれぞれ連設され、
第２側面板の横方向の両端縁には縦方向の折り曲げ線を介して折り込み片がそれぞれ連設され、
第２後面板の横方向の両端縁には縦方向の折り曲げ線を介して第２後板縁片がそれぞれ連設され、
前面板の略中央には摘まみ片が切り込み線により区画形成され、該摘まみ片を区画形成する切り込み線の先端と末端からそれぞれ横方向の折り曲げ線に達する末広がり状に破断線が穿設され、
該破断線は前面板の端縁から前板縁片の先端に向けて前板縁片を二分するように穿設され、たブランクを、
横方向の折り曲げ線に沿って後面板、側面板、前面板、第２側面板、第２後面板を順次折り曲げ、後面板の表面に第２後面板の裏面を重ねて第２後面板の糊代片部分を後面板の表面と接着させ、偏平な筒状スリーブに組み立て、筒状スリーブの両端の開口部分を各縁片、折り込み片を順次折り曲げ接着させることにより閉鎖して組み立てたことを特徴とする自立性カートン。
【請求項４】
前記第２後面板の糊代片を区画する第２折り曲げ線に沿って、第２後面板から糊代片寄りに突出して切り込み線によりロック片が形成されていることを特徴とする、請求項３記載の自立性カートン。
【請求項５】
前記第２折り曲げ線が破断線により形成されていることを特徴とする、請求項３又は４記載の自立性カートン。
【請求項６】
前記前面板の摘まみ片近傍から前面板の側面板寄りの各角隅に向けて折り曲げ線が形成されていることを特徴とする、請求項３、４又は５記載の自立性カートン。
【請求項７】
前記後面板の幅は前面板の幅よりも狭く形成されていることを特徴とする、請求項３、４、５又は６記載の自立性カートン。
【請求項８】
前記糊代片の後面板との接着位置は、後面板と第２後面板の重なりが前面板の幅と同幅になるような位置であることを特徴とする、請求項３、４、５又は６記載の自立性カートン。
【請求項９】
前記後面板の両端縁に形成される後板縁片は、ブランクをスリーブ状に重ねた際、後板縁片と第２後板縁片が重ならないように形成されていることを特徴とする、請求項３、４、５、６、７又は８記載の自立性カートン。
【請求項１０】
請求項１から７のいずれか１項に記載の自立性カートンに、内容物が充填された軟包装袋が収容されていることを特徴とする、包装体。
【発明の詳細な説明】
【０００１】
【発明の属する技術分野】
本発明は１枚のブランクから組み立て可能な自立性カートンに関するものであり、特には、カレー等の流動性内容物を充填密封した軟包装袋を収容したまま電子レンジ加熱が可能な自立性カートンに関する。
【０００２】
【従来の技術】
従来、例えば、調理済のレトルトカレーのような加熱するだけで賞味することができる食品類を軟包装袋に収納したまま、自立安定性を付与した状態で電子レンジ加熱が可能なカートンが提案されている（例えば、特許文献１、特許文献２参照）。
【０００３】
【特許文献１】
特開平１１−２４０５８２号公報（第２頁、図１〜図４）
【特許文献２】
特開平２００２−１２２７４号公報（第２頁、図１）
【０００４】
特許文献１の発明は、中に食品類を充填した軟包装袋を収容したまま自立安定性を付与した容器で、電子レンジ加熱用のカートンとしても使用できる。しかし，自立性を持たせるための衝立具を付けるために加工が複雑になる。また、消費者が組み立てる必要があるため煩雑であるといった問題がある。
【０００５】
特許文献２の発明は、中に食品類を充填した軟包装袋を収容したまま自立安定性を付与した容器で、電子レンジ加熱用のカートンとしても使用できる。材料費は安価な構造だが、自立性を持たせるために消費者が使用する際に成形する必要があり煩雑である。また、中身が膨らむような場合、左右に倒れる危険性がある。
【０００６】
【発明が解決しようとする課題】
本発明は、調理済の食品類を収納した軟包装袋を収容して電子レンジ加熱する自立性カートンに関する以上のような問題点を解決するためになされたもので、製造が簡単で、組み立てが煩雑でなく容易で、しかも安定した自立性が保持できる自立性カートンを提供することを課題とする。
【０００７】
【課題を解決するための手段】
本発明の請求項１の発明は、四方形の六面体の一面に開封口が設けられ、その反対面に折り曲げ線を介して糊代部が形成されたカートンにおいて、開封口を有する一面とそれに隣り合う二面は、開封開始点から形成された破断線により蓋体部と本体部に二分され、また、該蓋体部と本体部は、糊代部を形成させた面の破断線に連なる前記折り曲げ線により谷折りされて屈曲することを特徴とする自立性カートンである。
【０００８】
このように請求項１の発明によれば、開封口を有する一面とそれに隣り合う二面は、開封開始点から形成された破断線により蓋体部と本体部に二分され、また、該蓋体部と本体部は、糊代部を形成させた面の破断線に連なる前記折り曲げ線により谷折りされて屈曲するので、カートンは蓋体部と本体部により自立することが可能である。
【０００９】
また、請求項２の発明は、請求項１の発明において、前記反対面の糊代部には、折り曲げ線に沿って糊代部側に突出する切り込み線によりロック片が形成されていることを特徴とする、自立性カートンである。
【００１０】
このように請求項２の発明によれば、糊代部には折り曲げ線に沿って糊代部側に突出する切り込み線によりロック片が形成されているので、蓋体部と本体部を屈曲させた際、ロック片が後面に係止されて蓋体部と本体部の屈曲が強く保持される。
【００１１】
本発明の請求項３の発明は、後面板、側面板、前面板、第２側面板、第２後面板が横方向の折り曲げ線を介して順次連設され、第２後面板の端縁近傍には横方向の第２折り曲げ線を介して糊代片が突出して形成され、後面板の横方向の両端縁には縦方向の折り曲げ線を介して後板縁片がそれぞれ連設され、側面板の横方向の両端縁には縦方向の折り曲げ線を介して折り込み片がそれぞれ連設され、前面板の横方向の両端縁には縦方向の折り曲げ線を介して前板縁片がそれぞれ連設され、第２側面板の横方向の両端縁には縦方向の折り曲げ線を介して折り込み片がそれぞれ連設され、第２後面板の横方向の両端縁には縦方向の折り曲げ線を介して第２後板縁片がそれぞれ連設され、前面板の略中央には摘まみ片が切り込み線により区画形成され、該摘まみ片を区画形成する切り込み線の先端と末端からそれぞれ横方向の折り曲げ線に達するまで末広がり状に切断線が穿設され、該切断線は前面板の端縁から前板縁片の先端に向けて前板縁片を二分して穿設され、左右の第２後板縁片の第２側面板寄りは切り欠きが形成され、たブランクを、横方向の折り曲げ線に沿って後面板、側面板、前面板、第２側面板、第２後面板を順次折り曲げ、後面板の表面に第２後面板の裏面を重ねて第２後面板の糊代片部分を後面板の表面と接着させ、偏平な筒状スリーブに組み立て、筒状スリーブの両端の開口部分を各縁片、折り込み片を順次折り曲げ接着させることにより閉鎖して組み立てたことを特徴とする自立性カートンである。
【００１２】
このように請求項３の発明によれば、後面板、側面板、前面板、第２側面板、第２後面板が横方向の折り曲げ線を介して順次連設され、第２後面板の端縁近傍には横方向の第２折り曲げ線を介して糊代片が突出して形成され、後面板の横方向の両端縁には縦方向の折り曲げ線を介して後板縁片がそれぞれ連設され、側面板の横方向の両端縁には縦方向の折り曲げ線を介して折り込み片がそれぞれ連設され、前面板の横方向の両端縁には縦方向の折り曲げ線を介して前板縁片がそれぞれ連設され、第２側面板の横方向の両端縁には縦方向の折り曲げ線を介して折り込み片がそれぞれ連設され、第２後面板の横方向の両端縁には縦方向の折り曲げ線を介して第２後板縁片がそれぞれ連設され、前面板の略中央には摘まみ片が切り込み線により区画形成され、該摘まみ片を区画形成する切り込み線の先端と末端からそれぞれ横方向の折り曲げ線に達する末広がり状の破断線が穿設され、該破断線は前面板の端縁から前板縁片の先端に向けて前板縁片を二分するように穿設され、たブランクを、横方向の折り曲げ線に沿って後面板、側面板、前面板、第２側面板、第２後面板を順次折り曲げ、後面板の表面に第２後面板の裏面を重ねて第２後面板の糊代片部分を後面板の表面と接着させ、偏平な筒状スリーブに組み立て、筒状スリーブの両端の開口部分を各縁片、折り込み片を順次折り曲げ接着させることにより閉鎖して組み立てているので、軟包装袋自体を自立させることは難しいが、自立性カートンに収納されているので容易に自立が可能である。
摘まみ片を引っ張るようにして持ち上げることにより前面板が破断線に沿って破れて開口し、さらに第２折り曲げ線に沿って谷折りされて自立カートンはくの字状に曲がって自立する。
【００１３】
また、請求項４の発明は、請求項３の発明において、前記第２後面板の糊代片を区画する第２折り曲げ線に沿って、第２後面板から糊代片寄りに突出して切り込み線によりロック片が形成されていることを特徴とする、自立性カートンである。
【００１４】
このように請求項４記載の発明によれば、第２後面板の糊代片を区画する第２折り曲げ線に沿って、第２後面板から糊代片寄りに突出して切り込み線によりロック片が形成されているので、開封後、後面板寄りに倒されたカートン上部を後面板の端縁にロック片が係止されてカートン上部を固定する。
【００１５】
また、請求項５の発明は、請求項３又は４の発明において、前記第２折り曲げ線が破断線により形成されていることを特徴とする、自立性カートンである。
【００１６】
このように請求項５記載の発明によれば、第２折り曲げ線が破断線により形成されているので、カートンを開封する際、谷折りが容易に行える。
【００１７】
また、請求項６の発明は、請求項３、４又は５の発明において、前記前面板の摘まみ片近傍から前面板の側面板寄りの各角隅に向けて折り曲げ線が形成されていることを特徴とする、自立性カートンである。
【００１８】
このように請求項６記載の発明によれば、前面板の摘まみ片近傍から前面板の側面板寄りの各角隅に向けて折り曲げ線が形成されているので、内容物の充填された包装袋を収容した該自立カートンを、例えば、電子レンジ加熱した際に、包装袋が膨張してもその膨張をカートンの前面板が吸収して前面板のみが変形して後面板の変形を軽減できる。
【００１９】
また、請求項７の発明は、請求項３、４、５又は６の発明において、前記後面板の幅は前面板の幅よりも狭く形成されていることを特徴とする、自立性カートンである。
【００２０】
このように請求項７記載の発明によれば、後面板の幅が前面板の幅よりも狭く形成されているので、カートンを開封して摘まみ片を有するカートン上部を谷折りする際、前面板の裏側面が後面板の端縁にあたらず容易に２つ折りすることができる。
【００２１】
また、請求項８の発明は、請求項３、４、５、６又は７の発明において、前記糊代片の後面板との接着位置は、後面板と第２後面板の重なりが前面板の幅と同幅になるような位置であることを特徴とする、自立性カートンである。
【００２２】
このように請求項８記載の発明によれば、糊代片の後面板との接着位置は、後面板と第２後面板の重なりが前面板の幅と同幅になるような位置にあるので、カートンは方形を保ち見栄えの良いカートンが製箱できる。
【００２３】
また、請求項９の発明は、請求項３、４、５、６、７又は８の発明において、前記後面板の両端縁に形成される後板縁片は、ブランクをスリーブ状に重ねた際、後板縁片と第２後板縁片が重ならないように形成されていることを特徴とする、自立性カートンである。
【００２４】
このように請求項９記載の発明によれば、後面板の両端縁に形成される後板縁片は、ブランクをスリーブ状に重ねた際、後板縁片と第２後板縁片が重ならないように形成されているので、組み立てたカートンを摘まみ片から開封する際、後板縁片が組み立てたカートン上部に接触することがなく、容易に２つ折りすることができる。
【００２５】
また、請求項１０の発明は、請求項１から９のいずれか１項に記載の自立性カートンに、内容物が充填された軟包装袋が収容されていることを特徴とする、包装体である。
【００２６】
【発明の実施の形態】
本発明の自立カートンを一実施形態に基づいて以下に詳細に説明する。
図１は、本発明の自立カートンの一実施形態を示す斜視説明図である。
本発明の自立性カートンは、例えば、四方形の六面体の一面に開封口（４）が設けられ（開封口が設けられている面を前面（１）とする）、その反対面（後面（２）とする）に折り曲げ線（ｓ）を介して糊代部（３）が形成されたカートンにおいて、開封口を有する一面とそれに隣り合う二面は開封開始点（ｒ）から形成された破断線（ｔ）により蓋体部（５）と本体部（６）に二分され、また、該蓋体部（５）と本体部（６）は、糊代部（３）を形成させた面の破断線に連なる前記折り曲げ線（ｓ）により谷折りされて屈曲することを特徴とするものである。
【００２７】
そして、反対面（２）の糊代部（３）には、折り曲げ線（ｓ）に沿って糊代部側に突出する切り込み線（ｕ）によりロック片（７）が複数形成された構造を有している。
【００２８】
ロック片（７）が形成されていることにより、蓋体部（５）と本体部（６）を折り曲げ線（ｓ）に沿って屈曲させた際、ロック片（７）が後面（２）に係止されて屈曲が戻ることを強く防止する。従ってカートンの自立性がより強く保持できる。ロック片（７）は１個より複数個形成することにより、安定性が増す。
【００２９】
なお、本発明の自立性カートンは、図示してないが縦長に形成しても良いし、縦横同じに形成しても良いことはいうまでもない。
【００３０】
【実施例】
以下実施例により本発明をさらに詳細に説明する。
〈実施例１〉
図２は、本発明の自立カートンのブランクの一実施例を示す展開説明図である。
後面板（１１）、側面板（１２）、前面板（１３）、第２側面板（１４）、第２後面板（１５）が横方向の折り曲げ線（ａ）を介して順次連設されている。
【００３１】
第２後面板（１５）の端縁近傍には横方向の第２折り曲げ線（ｂ）を介して糊代片（１６）が突出して形成されている。
【００３２】
後面板（１１）の横方向の両端縁には縦方向の折り曲げ線を介して後板縁片（１１１、１１１）がそれぞれ連設され、側面板（１２）の横方向の両端縁には縦方向の折り曲げ線を介して折り込み片（１２１、１２１）がそれぞれ連設されている。
【００３３】
前面板（１３）の横方向の両端縁には縦方向の折り曲げ線を介して前板縁片（１３１、１３１）がそれぞれ連設され、第２側面板（１４）の横方向の両端縁には縦方向の折り曲げ線を介して折り込み片（１４１、１４１）がそれぞれ連設され、第２後面板（１５）の横方向の両端縁には縦方向の折り曲げ線を介して第２後板縁片（１５１、１５１）がそれぞれ連設されている。
【００３４】
前面板（１３）の略中央には摘まみ片（１３２）が切り込み線（ｃ）により区画形成されている。
摘まみ片（１３２）を区画形成する切り込み線（ｃ）の先端と末端からそれぞれ横方向の折り曲げ線に達する末広がり状に破断線（ｄ）が穿設されている。
【００３５】
この破断線（ｄ）は前面板（１３）の端縁から前板縁片（１３１）の先端に向けて前板縁片（１３１、１３１）を二分するように前板縁片（１３１、１３１）にも穿設されている。
【００３６】
第２後面板（１５）の左右端に連設された第２後板縁片（１５１、１５１）の第２側面板（１４）寄りに図示してないが切り欠きを形成されても良い。
【００３７】
第２後面板（１５）の糊代片（１６）を区画する第２折り曲げ線（ｂ）に沿って、第２後面板（１５）から糊代片（１６）寄りに突出して切り込み線（ｅ）によってロック片（１５３）を形成させても良い。
【００３８】
第２折り曲げ線（ｂ）を図１に示すように、破断線としても良い。破断線にすることにより折り曲げがより容易になる。
【００３９】
前面板（１３）の摘まみ片（１３２）近傍から側面板（１２）寄りの２つの角隅に向けて斜め折り曲げ線（ｆ）を形成させると、カートンに内容物が収納された包装袋を入れ、例えば、電子レンジ加熱をした際に包装袋が膨張しても前面板の斜め折り曲げ線（ｆ）が膨張を吸収して後面板（１１）に影響を及ぼさない。
【００４０】
次に、このようなブランク（１０）からカートンに組み立てる手順の一例を述べる。
先ず、横方向の折り曲げ線（ａ）に沿って後面板（１１）、側面板（１２）、前面板（１３）、第２側面板（１４）、第２後面板（１５）を順次折り曲げ、後面板（１１）の表面に第２後面板（１５）の裏面を重ねて第２後面板の糊代片（１６）を後面板（１１）の表面と接着させ、偏平な筒状スリーブに組み立てる。この作業は、サックマシ−ンと称する一般的に公知の糊付け機を使用して容易に行うことができる。
【００４１】
次に、必要に応じて筒状スリーブを起こして、例えば、レトルトパウチのような内容物をスリーブの内部に挿入しながら、両端の開口部分を各縁片、折り込み片を順次折り曲げ適宜な接着剤等を用いて接着させ、閉鎖して組み立てることができる。
【００４２】
包装袋のような内容物を収容したカートンを開封して自立させる方法は次の通りである。
すなわち、先ず、つまみ片（１３２）を内側に押し込むことにより前面板（１３）は破断線（ｄ）に沿ってパシッと切断され、ついで、前板縁片（１３１）も破れてカートンは第２折り曲げ線（ｂ）を支軸にして折り曲げられて、くの字状に屈曲し、内容物である収容物（３０）が露出する。
曲げられた第２後面板（１５）はロック片（１５３）により後面板（１１）に係止されて屈曲したまま固定され、自立する（図３、図４参照）。
【００４３】
図４は、収容物（３０）が蒸気抜き気孔を設けたレトルトパウチとした場合の一実施例で、電子レンジで加熱するとパウチは膨張するが、転倒することなく十分使用に耐えることがわかる。
【００４４】
【発明の効果】
上記のように、本発明の自立性カートンは、下記に示す如き効果がある。
即ち、通常のサック貼り加工で製造することができ、組み立てが分かりやすく、簡単に自立性を持たせることができる。
カートンに自立性を持たせることで、随時片手で中身を取り出すことができ、店頭でのディスプレイ効果を付加することができる。
また、電子レンジ調理用のパウチ入りカートンとしてもパウチ自体を自立させることができるので効果的である。
【図面の簡単な説明】
【図１】本発明の自立性カートンの一実施例を示す、（ａ）は前面から見た斜視説明図であり、（ｂ）は後面から見た斜視説明図であり、（ｃ）は前面を破断して本体部と蓋体部に折り曲げた状態を示す斜視説明図である。
【図２】本発明の自立性カートンの組み立て前のブランクの一実施例を示す、展開説明図である。
【図３】軟包装袋が収容されている自立性カートンを開封して、カートンを自立させてきる状態の一実施例を示す、斜視説明図である。
【図４】図３の軟包装袋入りの自立性カートンを電子レンジで加熱した状態の一実施例を示す、斜視説明図である。
【符号の説明】
１‥‥前面
２‥‥後面
３‥‥糊代部
４‥‥開封口
５‥‥蓋体部
６‥‥本体部
７‥‥ロック片
１０‥‥ブランク
１１‥‥後面板
１２‥‥側面板
１３‥‥前面板
１４‥‥第２側面板
１５‥‥第２後面板
１６‥‥糊代片
２０‥‥カートン
３０‥‥軟包装袋、収容物
１１１‥‥後板縁片
１２１‥‥折り込み片
１３１‥‥前板縁片
１３２‥‥摘まみ片
１４１‥‥折り込み片
１５１‥‥第２後板縁片
１５３‥‥ロック片
ａ‥‥横方向の折り曲げ線
ｂ‥‥横方向の第２折り曲げ線
ｃ‥‥切り込み線
ｄ‥‥破断線
ｅ‥‥切り込み線
ｆ‥‥斜め折り曲げ線
ｒ‥‥開封開始点
ｓ‥‥折り曲げ線
ｔ‥‥破断線
ｕ‥‥切り込み線
【図１】
2004299715.tif 000003
【図２】
2004299715.tif 000004
【図３】
2004299715.tif 000005
【図４】
2004299715.tif 000006